(57)【特許請求の範囲】
【請求項１】
内部に画成した収容部(26)に連通する導入口(22)および排出口(24)を開設したケース体(20)と、適度の弾力性を有する多孔質体を材質とし、前記収容部(26)に着脱自在に収容される濾材(30)とからなり、前記導入口(22)から収容部(26)へ導入した流体を前記濾材(30)に通過させて該流体に混在している微細な異物(S)を捕集し、清浄化された流体を前記排出口(24)から排出するようにした流体フィルタにおいて、
前記ケース体(20)の内壁面に所要数設けられ、前記収容部(26)へ向け突出して前記濾材(30)を支持する凸状の支持部(46)と、
前記収容部(26)および前記濾材(30)の間において、前記支持部(46)に隣接して画成される空間部(49/54)とからなり、
前記収容部(26)へ導入された流体の一部または全部を、前記支持部(46)に衝突させることで前記空間部(49/54)内に一時的に滞留させ、この際に該流体に混在している前記異物(S)を前記空間部(49/54)内に沈積させ得るよう構成した
ことを特徴とする流体フィルタ。
【請求項２】
前記支持部(46)および空間部(49/54)は、前記収容部(26)における片側に設けられている請求項１記載の流体フィルタ。
【請求項３】
前記支持部(46)および空間部(49/54)は、前記収容部(26)における両側に設けられている請求項１記載の流体フィルタ。
【請求項４】
前記支持部(46)は、前記ケース体(20)内に設けたリブ状突片(48)である請求項１〜３の何れかに記載の流体フィルタ。
【請求項５】
前記支持部(46)は、前記ケース体(20)の外壁面を構成する凸壁部分(52)である請求項１〜３の何れかに記載の流体フィルタ。
【請求項６】
前記支持部(46)は、前記収容部(26)に収容した前記濾材(30)を圧縮した状態で支持し得る突出量に形成され、該濾材(30)に前記異物(S)の捕集率を高めた圧縮部位(32)を任意に作り出し得るようになっている請求項１〜５の何れかに記載の流体フィルタ。
【請求項７】
前記濾材(30)は、連泡構造を有するウレタンフォーム、樹脂の連泡体、不織布または繊維集合体等から形成される請求項１〜６の何れかに記載の流体フィルタ。
【発明の詳細な説明】
【０００１】
【発明の属する技術分野】
本発明は、流体フィルタに関し、更に詳細には、内部に画成した収容部に連通する導入口および排出口を開設したケース体と、適度の弾力性を有する多孔質体を材質とし、前記収容部に着脱自在に収容される濾材とからなり、前記導入口から収容部へ導入した流体を前記濾材に通過させて該流体に混在している微細な異物を捕集し、清浄化された流体を前記排出口から排出するようにした流体フィルタに関するものである。
【０００２】
【従来の技術】
例えば、空気清浄器、自動車用エンジン、流体圧シリンダ等、空気やガス等の気体またはオイル等の液体を活用する種々の装置では(以下、気体および液体を総称して「流体」という)、図１０に示すように、この流体内に混在している微細な異物(塵埃、ゴミ等)を捕集して該流体を清浄化するための流体フィルタ１０を、当該装置１２における流体導入部１４に装着する場合が多い。この流体フィルタ１０は、種々形態・タイプのものが実施に供されているが、例えば図１１および図１２に示すように、内部に画成した収容部２６に連通する導入口２２および排出口２４を開設したフィルタケース(ケース体)２０と、適度の弾力性を有する多孔質体を材質とし、前記収容部２６に着脱自在に収容される濾材３０とからなり、前記導入口２２から収容部２６へ導入した流体を前記濾材３０に通過させて該流体に混在している微細な異物Ｓを捕集し、清浄化された流体を前記排出口２４から排出するようになっている。ここで前記濾材３０としては、例えば連泡構造を有するウレタンフォーム、または不織布や繊維集合体等、多数の孔(空隙)を有する所謂「多孔質体」が好適に実施可能である。
【０００３】
【発明が解決しようとする課題】
ところで、図１１および図１２に示した従来の流体フィルタ１０では、前記収容部２６に収容される前記濾材３０の外形形状を該収容部２６の空間形状に合致させるようにし、この濾材３０を収容部２６内へ収容した際には、該濾材３０の周囲に隙間(空間)が殆ど画成されないようになっている。このため、前記導入口２２を介して収容部２６内へ導入された前記流体は、その全部が前記排出口２４から排出されるまで常には濾材３０の内部を流通移動するから、該流体に混在している異物Ｓの殆ど全ては該濾材３０の内部に捕集されることになる。このため、流体に多くの異物Ｓが混在している場合には、比較的に短期間で濾材３０の目詰まりが発生してしまい、当該濾材３０の交換サイクルまたはクリーニングサイクルが短くなるから、濾材３０の交換作業またはクリーニング作業を頻繁に行なう必要が生ずると共にランニングコストが嵩んでしまう課題等があった。
【０００４】
【発明の目的】
この発明は、前述した従来技術に内在している前記課題に鑑み、これを好適にに解決するべく提案されたもので、濾材の交換サイクルまたはクリーニングサイクルが長くなるようにして、ランニングコストの低減等を図り得るようにした流体フィルタを提供することを目的とする。
【０００５】
【課題を解決するための手段】
前記課題を解決し、所期の目的を達成するため本発明は、内部に画成した収容部に連通する導入口および排出口を開設したケース体と、適度の弾力性を有する多孔質体を材質とし、前記収容部に着脱自在に収容される濾材とからなり、前記導入口から収容部へ導入した流体を前記濾材に通過させて該流体に混在している微細な異物を捕集し、清浄化された流体を前記排出口から排出するようにした流体フィルタにおいて、
前記ケース体の内壁面に所要数設けられ、前記収容部へ向け突出して前記濾材を支持する凸状の支持部と、
前記収容部および前記濾材の間において、前記支持部に隣接して画成される空間部とからなり、
前記収容部へ導入された流体の一部または全部を、前記支持部に衝突させることで前記空間部内に一時的に滞留させ、この際に該流体に混在している前記異物を前記空間部内に沈積させ得るよう構成したことを特徴とする。
【０００６】
【発明の実施の形態】
次に、本発明に係る流体フィルタにつき、好適な実施例を挙げて、添付図面を参照しながら以下説明する。
【０００７】
【第１実施例】
図１は、第１実施例に係る流体フィルタを概略的に示す縦断側面図、図２は、流体フィルタを実施状態で示す縦断側面図、図３は、流体フィルタの分解斜視図である。第１実施例に係る流体フィルタ４０は、内部に画成した収容部２６に連通する導入口２２および排出口２４を開設したフィルタケース(ケース体)２０と、適度の弾力性を有する多孔質体を材質とし、前記収容部２６に着脱自在に収容される濾材３０とから構成されている。なお本実施例では、多孔質体として連泡構造を有するウレタンフォームを例示するが、本願での多孔質体とは該ウレタンフォーム以外に、樹脂(ゴムおよびプラスチック等)の連泡体、不織布、繊維集合体(プラスチック、無機物、金属等から形成されるもの)等も含まれる。
【０００８】
前記フィルタケース２０は、トレー状の第１半体４２およびトレー状の第２半体４４とから構成され、これら第１半体４２および第２半体４４を対向的に組付けることで矩形箱体状を呈し、前記濾材３０用の収容部２６を内部に画成するようになっている。そして第１半体４２の一側部位には、前記収容部２６内へ流体が流入するのを許容する横長の導入口２２が開設されており、また第２半体４４の一側部位には、前記収容部２６内の流体がケース外部へ流出するのを許容する横長の排出口２４が開設されている。このような第１半体４２と第２半体４４とを組付けた際には、図１において、フィルタケース２０における下面右端部位に前記導入口２２が開口し、該フィルタケース２０における上面左端部位に前記排出口２４が開口するようになっており、導入口２２からフィルタケース２０内へ導入された流体は、収容部２６内の一端から他端まで流通移動した後に排出口２４から該フィルタケース２０外へ排出される。
【０００９】
そして前記第１半体４２の内壁面には、前記収容部２６へ向け突出して該収容部２６へ収容した前記濾材３０を支持し得る凸状の支持部４６が、所要数設けられている。ここで前記支持部４６は、前記フィルタケース２０に設けたリブ状突片４８であって、前記導入口２２から排出口２４に亘って適宜間隔毎に複数個(実施例では３個)が並設されている。しかも各リブ状突片４８では、導入口２２に隣接したリブ状突片４８の突出量が最小とされ、排出口２４に隣接したリブ状突片４８の突出量が最大とされており、導入口２２側から排出口２４側に向けて突出量が徐々に大きくなるよう設定されている。
【００１０】
また前記夫々のリブ状突片４８は、後述するように、濾材３０の外形形状を前記フィルタケース２０の内部形状に合致する矩形直方体とした場合、収容部２６に収容した該濾材３０を適宜に圧縮した状態で支持し得る突出量に形成されている。従って、夫々のリブ状突片４８が収容部２６に収容された濾材３０を圧縮することで、流体に混在している前記異物Ｓの捕集率を高めた圧縮部位３２を該濾材３０に任意に作り出し得るようになっている。すなわち、前記各リブ状突片４８の突出量に対応して前記濾材３０における圧縮部位３２の圧縮度合が変更され、具体的には該リブ状突片４８の突出量を大きくする程に、濾材３０の圧縮変形量が大きくなって圧縮部位３２の密度が高くなる。
【００１１】
また第１半体４２に、前述したリブ状突片４８(支持部４６)を所要間隔に形成したことにより、前記収容部２６および濾材３０の間において該リブ状突片４８に隣接した部位には、複数(実施例では４個)の空間部４９が画成されるようになっている。これにより、導入口２２を介して収容部２６へ導入された流体の一部が、該収容部２６内を流通移動する過程で前記リブ状突片４８に衝突すると、前記夫々の空間部４９へ流入して該空間部４９内で一時的に滞留するようになる。
【００１２】
前記濾材３０は、例えば連泡構造を有する多孔質体であるウレタンフォームを材質とし、前記フィルタケース２０に画成した矩形状の収容部２６に合致する矩形直方体に成形されており(図３)、この形状に発泡成形したものや、大きい板状に発泡成形された原反からこの形状に切出したものである。このような濾材３０は、発泡成形に際して形成された多数の連続気泡孔(空隙)を内部に有して弾力性および柔軟性に富んでおり、常態においては全体的に同一密度とされて全ての連続気泡孔(空隙)が略同一サイズとなっている。そして、濾材３０を外方から押圧すると、この押圧された部位が簡易に圧縮変形して当該圧縮部位の密度が非圧縮部位の密度より高くなり、圧縮部位の連続気泡孔(空隙)が押し潰されて縮小化されているのでより小さい異物Ｓの捕集が可能となる。なお濾材３０は、清浄対象とされる流体(気体または液体)に応じて決定されるものであり、ここでは詳細な説明は省略する。
【００１３】
このようなフィルタケース２０および濾材３０から構成される第１実施例の流体フィルタ４０は、図４に示すように、該濾材３０を挟んで前記第１半体４２および第２半体４４を組付けることで、両半体４２,４４からなるフィルタケース２０に内部画成された収容部２６に濾材３０が収容される。ここで、第１半体４２と第２半体４４とを組付けるに際し、該第１半体４２に形成した前記各リブ状突片４８が、収容部２６へ収容された前記濾材３０の外面に押付けられた状態で該濾材３０を支持するようになるから、該濾材３０には適宜に圧縮されて異物Ｓの捕集率を高めた圧縮部位３２が作り出される(図１)。しかも、前記リブ状突片４８の突出量を前述したように設定してあることにより、濾材３０の圧縮度合(圧縮変形量)は導入口２２から排出口２４に向けて徐々に大きくなっており、排出口２４側に近づく程により小さいサイズの異物Ｓを捕集可能となっている。
【００１４】
従って、図２に示すように、前記導入口２２からフィルタケース２０へ導入した流体に種々サイズ(寸法)の異物Ｓが混在している場合でも、濾材３０における導入口２２に臨んだ部位では大きいサイズの異物Ｓが捕集されると共に、排出口２４側に近づくにつれてより小さいサイズの異物Ｓが順次捕集されるようになる。すなわち、流体に混在する前記異物Ｓに寸法差があったとしても、サイズに応じて捕集される部位が異なるから、異物Ｓを濾材３０の全体に亘り平均的に捕集することができ、捕集効率を好適に向上させることができる。また、濾材３０の一部分に異物Ｓが集中して捕集されないから、該濾材３０を通過する流体のスムーズな流動が維持されて圧力損失を最小限に抑えることもできる。
【００１５】
このように第１実施例の流体フィルタ４０は、全体的に同一密度に発泡成形されたウレタンフォームからなる単一(１種類)の濾材３０に、フィルタケース２０内に突設した前記各リブ状突片４８を押付けて圧縮することで、前記異物Ｓの捕集率を高めた圧縮部位３２を意図的に作り出すことができ、単一の濾材３０の使用により密度の異なる(捕集率の異なる)複数の濾材を使用した場合と同等乃至それ以上の捕集性能を得ることができる。これにより、低コストで異物Ｓの捕集効率を好適に向上させることができる。
【００１６】
一方、第１実施例の流体フィルタ４０では、フィルタケース２０の内壁面に前記リブ状突片４８を突設すると共に、収容部２６と濾材３０との間に該リブ状突片４８に隣接して空間部４９が画成されているから、収容部２６を流通移動する流体の一部が、前記リブ状突片４８に衝突して空間部４９内へ流入するようになる。しかも空間部４９へ流入した流体は、図２に示すように該空間部４９内で淀んだ状態となり、該空間部４９内で一時的に滞留するようになる。従って、空間部４９内へ流入した流体に前記異物Ｓが混在していた場合には、該異物Ｓのうちの一部が該空間部４９の底面に沈積するようになる。
【００１７】
このように第１実施例の流体フィルタ４０では、フィルタケース２０内へ導入された流体に混在している異物Ｓの一部を空間部４９内に沈積させ得るから、その分だけ濾材３０で捕集される異物Ｓの量が減少することとなる。すなわち、図１１および図１２に示した従来の流体フィルタ１０と比較すると、濾材３０の目詰まりが発生するまでに要する時間(期間)がより長くなるから、当該濾材３０の交換サイクルまたはクリーニングサイクルが長くなり、煩雑な濾材３０の交換作業またはクリーニング作業を減らし得ると共にランニングコストの低減を図ることもできる。
【００１８】
【第２実施例】
図５は、第２実施例に係る流体フィルタを概略的に示す縦断側面図、図６は、流体フィルタを実施状態で示す縦断側面図、図７は、流体フィルタを分解して示す断面図である。第２実施例に係る流体フィルタ５０は、基本的構成は前記第１実施例の流体フィルタ４０と同一であるが、フィルタケース２０の第１半体４２に設けた支持部４６の形態を変更したものである。
【００１９】
すなわち第２実施例の流体フィルタ５０では、前記収容部２６に収容した前記濾材３０を支持するための支持部４６を、フィルタケース２０の外壁面を凹凸状に形成して得られた凸壁部分５２としたもので、導入口２２から排出口２４に亘って適宜間隔毎に複数個(実施例では３個)が並設されている。そして各凸壁部分５２は、導入口２２に隣接した凸壁部分５２の突出量が最小とされ、排出口２４に隣接した凸壁部分５２の突出量が最大とされており、導入口２２側から排出口２４側に向けて突出量が徐々に大きくなるよう設定されている。これら凸壁部分５２は、前記濾材３０の外形形状を前記フィルタケース２０の内部形状に合致する矩形直方体とした場合、前記第１実施例の流体フィルタ４０と同様に、収容部２６に収容した該濾材３０を適宜に圧縮した状態で支持するようになり、流体に混在している前記異物Ｓの捕集率を高めた圧縮部位３２を該濾材３０に任意に作り出し得るようになっている。
【００２０】
また、第１半体４２に前述した凸壁部分５２(支持部４６)を所要間隔に形成したことにより、前記収容部２６および濾材３０の間において該凸壁部分５２に隣接した部位に、複数(実施例では４個)の空間部５４が画成されるようになっている。これにより、導入口２２を介して収容部２６へ導入された流体の一部が、該収容部２６内を流通移動する過程で前記凸壁部分５２に衝突すると、前記夫々の空間部５４へ流入して該空間部５４内で一時的に滞留するようになる。
【００２１】
このようなフィルタケース２０および濾材３０から構成される第２実施例の流体フィルタ５０は、図７に示すように、該濾材３０を挟んで前記第１半体４２および第２半体４４を組付けることで、両半体４２,４４からなるフィルタケース２０に内部画成された収容部２６に濾材３０が収容される。ここで、第１半体４２と第２半体４４とを組付けるに際し、該第１半体４２に形成した前記各凸壁部分５２が、収容部２６へ収容された前記濾材３０の外面に押付けられた状態で該濾材３０を支持するようになるから、該濾材３０には適宜に圧縮されて異物Ｓの捕集率を高めた圧縮部位３２が作り出される(図５)。しかも、前記凸壁部分５２の突出量を前述したように設定してあることにより、濾材３０の圧縮度合(圧縮変形量)は導入口２２から排出口２４に向けて徐々に大きくなっており、排出口２４側に近づく程により小さいサイズの異物Ｓを捕集可能となっている。
【００２２】
従って第２実施例の流体フィルタ５０では、図６に示すように、前記導入口２２からフィルタケース２０へ導入した流体に種々サイズ(寸法)の異物Ｓが混在している場合でも、濾材３０における導入口２２に臨んだ部位では大きいサイズの異物Ｓが捕集されると共に、排出口２４側に近づくにつれてより小さいサイズの異物Ｓが順次捕集されるようになる。すなわち、流体に混在する前記異物Ｓに寸法差があったとしても、サイズに応じて捕集される部位が異なるから、異物Ｓを濾材３０の全体に亘り平均的に捕集することができ、捕集効率を好適に向上させることができる。また、濾材３０の一部分に異物Ｓが集中して捕集されないから、該濾材３０を通過する流体のスムーズな流動が維持されて圧力損失を最小限に抑えることもできる。
【００２３】
一方、第２実施例の流体フィルタ５０では、フィルタケース２０の内壁面に前記凸壁部分５２を突設すると共に、収容部２６と濾材３０との間に該凸壁部分５２に隣接して空間部５４が画成されているから、収容部２６を流通移動する流体の一部が、前記凸壁部分５２に衝突して空間部５４内へ流入するようになる。しかも空間部５４へ流入した流体は、図６に示すように該空間部５４内で淀んだ状態となり、該空間部５４内で一時的に滞留するようになる。従って、空間部５４内へ流入した流体に前記異物Ｓが混在していた場合には、該異物Ｓのうちの一部が該空間部５４の底面に沈積するようになる。
【００２４】
このように第２実施例の流体フィルタ５０では、フィルタケース２０内へ導入された流体に混在している異物Ｓの一部を空間部５４内に沈積させ得るから、その分だけ濾材３０で捕集される異物Ｓの量が減少することとなる。すなわち、図１１および図１２に示した従来の流体フィルタ１０と比較すると、濾材３０の目詰まりが発生するまでに要する時間(期間)がより長くなるから、当該濾材３０の交換サイクルまたはクリーニングサイクルが長くなり、煩雑な濾材３０の交換作業またはクリーニング作業を減らし得ると共にランニングコストの低減を図ることもできる。
【００２５】
前記第１実施例および第２実施例に示した流体フィルタ４０,５０では、フィルタケース２０の内壁面に設けた所要数の凸状の支持部４６(リブ状突片４８、凸壁部分５２)および空間部４９,５４に関し、収容部２６における片側だけに設けた態様を例示した。しかしながら、例えば図８に示した流体フィルタ５６のように、支持部４６および空間部４９,５４を、収容部２６における両側(上下、左右等)に設けた態様としてもよい。このように、収容部２６における両側に支持部４６を設けた場合では、例えば該支持部４６の押圧により作り出された圧縮部位３２の密度が、厚み方向(図８の上下方向)で略均一にすることが可能となる。
【００２６】
また、収容部２６の両側に支持部４６を並設して濾材３０を両方向から支持する形態では、図９に示すように、該収容部２６における一方の側に設けた支持部４６および空間部４９と、他方の側に設けた支持部４６および空間部４９とが、交互に位置するように配置してもよい。各支持部４６をこのように配設すれば、当該濾材３０が両方向から互い違いに支持されると共に、収容部２６により形成される流体の流通経路が所謂「ラビリンス構造」を呈するから、夫々の空間部４９内に流体の一部が好適に滞留するようになって、該流体に混在している異物Ｓを該空間部４９へ好適に沈積させ得る。
【００２７】
また、前記各流体フィルタ４０,５０,５６では、各支持部４６(リブ状突片４８、凸壁部分５２)の突出量や突出方向、配設位置、配設数、配設間隔等の設定条件を適宜変更することで、収容部２６と濾材３０との間に画成した空間部４９,５４内へ流体を積極的かつ効率的に流入させて一時的に滞留させ、該流体に混在している異物Ｓを該空間部４９,５４内へ好適に沈積させることが可能となる。但し、支持部４６の設定条件は、フィルタケース２０に内部画成した収容部２６の形状、サイズ等により変更されるものである。
【００２８】
また、第１実施例および第２実施例では、前記支持部４６の押付けによって矩形直方体に予備成形した前記濾材３０に圧縮部位３２を作り出す場合を例示したが、該濾材３０に圧縮部位３２を作り出す必要がない場合は、該濾材３０を矩形直方体として予備成形せずに、例えば第１実施例では、図１に示した圧縮状態における外形形状に成形すればよい。濾材３０を圧縮せずに支持部４６で支持する場合でも、収容部２６と濾材３０との間に保持部４６に隣接した空間部４９,５４が画成され、流体の一部が該空間部４９,５４内へ流入すると共に一時的に滞留するようになるから、該流体に混在している異物Ｓを該空間部４９,５４の底面へ好適に沈積させ得る。従って、当該濾材３０の交換サイクルまたはクリーニングサイクルが長くなるから、ランニングコストの低減を図り得る。
【００２９】
なお前記各実施例では、収容部２６に導入された流体の一部が前記空間部４９,５４内へ流入して一時的に滞留する態様を例示したが、流体の全部が空間部４９,５４へ流入して一時的に滞留するような態様としてもよい。
【００３０】
また、本願の濾材３０を構成する多孔質体とは、前述した如く、前記各実施例に例示した連泡構造を有するウレタンフォームに限定されるものではなく、これ以外に、樹脂(ゴムおよびプラスチック等)の連泡体、不織布、繊維集合体(プラスチック、無機物、金属等から形成されるもの)等も好適に実施可能である。
【００３１】
更に、本願の流体フィルタは、前記第１実施例および第２実施例に示した矩形状のものに限定されるものではなく、様々な形状・サイズに形成し得ることは勿論である。
【００３２】
【発明の効果】
以上に説明した如く、本発明に係る流体フィルタによれば、ケース体内へ導入された流体に混在している異物の一部を、該ケース体内に画成した空間部内に沈積させ得るから、その分だけ濾材で捕集される異物の量が減少することとなる。従って、濾材の目詰まりが発生するまでに要する時間(期間)がより長くなるから、当該濾材の交換サイクルまたはクリーニングサイクルが長くなり、煩雑な濾材の交換作業またはクリーニング作業を減らし得る利点があると共に、ランニングコストの低減を図り得る等の有益な効果を奏する。
また、ケース体の内壁面に突設した支持部により、濾材に異物の捕集率を高めた圧縮部位を作り出すことができるので、単一の濾材を使用しても種々サイズの異物を捕集し得る利点等もある。
【図面の簡単な説明】
【図１】本発明の第１実施例に係る流体フィルタを概略的に示す縦断側面図である。
【図２】図１に示した流体フィルタを実施状態で示す縦断側面図であって、収容部へ導入された流体の一部がリブ状突片に衝突して空間部内で一時的に滞留することで、該流体に混在している異物の一部が該空間部に沈積される状態を示している。
【図３】流体フィルタの分解斜視図である。
【図４】第１半体および第２半体を組付けてフィルタケースを組立てることで、フィルタケースに画成される収容部に濾材を収容する状態を示す断面図である。
【図５】本発明の第２実施例に係る流体フィルタを概略的に示す縦断側面図である。
【図６】図５に示した流体フィルタを実施状態で示す縦断側面図であって、収容部へ導入された流体の一部がリブ状突片に衝突して空間部内で一時的に滞留することで、該流体に混在している異物の一部が該空間部に沈積される状態を示している。
【図７】第１半体および第２半体を組付けてフィルタケースを組立てることで、フィルタケースに画成される収容部に濾材を収容する状態を示す断面図である。
【図８】別形態の流体フィルタを概略的に示す縦断側面図である。
【図９】更に別形態の流体フィルタを概略的に示す縦断側面図である。
【図１０】流体フィルタを装着した装置の概略図である。
【図１１】第１半体および第２半体を組付けてフィルタケースを組立てることで、フィルタケースに画成される収容部に濾材を収容する状態を示す断面図である。
【図１２】フィルタケースに濾材を収容して構成される従来実施の流体フィルタを示す縦断側面図である。
【符号の説明】
２０  ケース体
２２  導入口
２４  排出口
２６  収容部
３０  濾材
３２  圧縮部位
４６  支持部
４８  リブ状突片(支持部)
４９  空間部
５２  凸壁部分(支持部)
５４  空間部
Ｓ  異物
【図１】
0003829253.tif 000002
【図２】
0003829253.tif 000003
【図３】
0003829253.tif 000004
【図４】
0003829253.tif 000005
【図５】
0003829253.tif 000006
【図６】
0003829253.tif 000007
【図７】
0003829253.tif 000008
【図８】
0003829253.tif 000009
【図９】
0003829253.tif 000010
【図１０】
0003829253.tif 000011
【図１１】
0003829253.tif 000012
【図１２】
0003829253.tif 000013